【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
携帯端末でアンテナ整合のための方法において、
前記携帯端末の状態を決定する段階と、
前記決定された携帯端末の状態に対応する最適のＴＭＮ（Ｔｕｎａｂｌｅ  Ｍａｔｃｈｉｎｇ  Ｎｅｔｗｏｒｋ）回路調整値を決定する段階と、
前記決定された最適のＴＭＮ回路調整値によってアンテナ整合を行う段階とを含むことを特徴とする方法。
【請求項２】
前記状態を決定する段階は、外部装置との連結可否、レシーバー使用可否、スピーカー使用可否及び近接センサーからの感知信号受信可否のうち１つ以上と通話可否を基盤として端末の状態をハンド（Ｈａｎｄ）状態、ヘッドアンドハンド（Ｈｅａｄ＋ｈａｎｄ）状態及びフリー（Ｆｒｅｅ）状態ののうちいずれか１つに決定し、
前記ハンド状態は、通話モード中にユーザの手に端末が位置する状態であり、前記ヘッドアンドハンド（Ｈｅａｄ＋ｈａｎｄ）状態は、通話モード中にユーザの頭に端末が位置する状態であり、前記フリー（Ｆｒｅｅ）状態は、端末が遊休モード状態であることを特徴とする請求項１に記載の方法。
【請求項３】
前記状態は、
通話モード中にＵＳＢ端子を通じて外部装置と連結されたＵＳＢ最適化（Ｏｐｔｉｍｉｚａｔｉｏｎ）状態を含むことを特徴とする請求項２に記載の方法。
【請求項４】
前記状態を決定する段階は、
前記携帯端末が遊休モードなら、前記携帯端末の状態を前記フリー状態に決定する段階と、
通話モード中に前記ＵＳＢ端子を通じて外部装置が連結されれば、前記携帯端末の状態を前記ＵＳＢ最適化状態に決定する段階と、
通話モード中に前記ＵＳＢ端子を通じて外部装置が連結されていなし、前記近接センサーから近接信号が入力されなければ、前記携帯端末の状態を前記ハンド状態に決定する段階と、
通話モード中に前記ＵＳＢ端子を通じて外部装置が連結されていないし、前記近接センサーから近接信号が入力されれば、前記携帯端末の状態を前記ヘッドアンドハンド状態に決定する段階とを含むことを特徴とする請求項３に記載の方法。
【請求項５】
前記状態を決定する段階は、
端末がテストモード中に状態決定信号が入力されれば、端末の状態を前記ハンド状態、前記ヘッドアンドハンド状態、前記フリー状態及び前記ＵＳＢ最適化状態のうち前記状態決定信号に対応する状態に決定する段階をさらに含むことを特徴とする請求項４に記載の方法。
【請求項６】
前記状態を決定する段階は、
前記携帯端末が遊休モードなら、前記携帯端末の状態を前記フリー状態に決定する段階と、
前記携帯端末が通話モードであり、前記レシーバーが使用されれば、前記携帯端末の状態を前記ヘッドアンドハンド状態に決定する段階と、
前記携帯端末が通話モードであり、前記スピーカーが使用されれば、前記携帯端末の状態を前記ハンド状態に決定する段階とを含むことを特徴とする請求項２に記載の方法。
【請求項７】
前記最適のＴＭＮ回路調整値を決定する段階は、
前記最適のＴＭＮ回路調整値をあらかじめ定義された参照テーブルを基盤として決定することを特徴とする請求項１に記載の方法。
【請求項８】
サービス網帯域別に当該帯域の全体チャネルを多数のグループに分類し、前記分類されたグループ別に前記参照テーブルを構成する段階をさらに含むことを特徴とする請求項７に記載の方法。
【請求項９】
前記アンテナ整合を行う段階は、
通話モード中に上向きリンク送信時間、下向きリンク送信時間及び受信モニタリング実行時間ではない他の時間にアンテナ整合を行うことを特徴とする請求項１に記載の方法。
【請求項１０】
前記決定された状態は、
前記携帯用端末が使用する帯域、前記帯域で使用するチャネル、通話可否、スライド状態、外部機器との連結可否、前記携帯用端末の位置、レシーバーの使用可否及びスピーカーの使用可否のうち１つ以上を含むことを特徴とする請求項１に記載の方法。
【請求項１１】
前記最適のＴＭＮ（Ｔｕｎａｂｌｅ  Ｍａｔｃｈｉｎｇ  Ｎｅｔｗｏｒｋ）回路調整値を決定する段階は、
サービス網を検索し、前記検索されたサービス網で前記携帯用端末が使用する帯域及びチャネルを確認し、前記確認された帯域及びチャネルに対応する最適のＴＭＮ（Ｔｕｎａｂｌｅ  Ｍａｔｃｈｉｎｇ  Ｎｅｔｗｏｒｋ）回路調整値を決定することを特徴とする請求項１に記載の方法。
【請求項１２】
携帯端末でアンテナ整合のための装置において、
前記携帯端末の状態を決定し、前記決定された状態に対応する最適のＴＭＮ回路調整値を決定する制御部と、
前記制御部から入力された最適のＴＭＮ回路調整値を利用してアンテナ整合を行うＴＭＮ 部とを含むことを特徴とする装置。
【請求項１３】
前記制御部は、外部装置との連結可否、レシーバー使用可否、スピーカー使用可否及び近接センサーからの感知信号受信可否のうち１つ以上と通話可否を基盤として前記携帯用端末の状態をハンド（Ｈａｎｄ）状態、ヘッドアンドハンド（Ｈｅａｄ＋ｈａｎｄ）状態及びフリー（Ｆｒｅｅ）状態ののうちいずれか１つに決定し、
前記ハンド状態は、通話モード中にユーザの手に端末が位置する状態であり、前記ヘッドアンドハンド（Ｈｅａｄ＋ｈａｎｄ）状態は、通話モード中にユーザの頭に端末が位置する状態であり、前記フリー（Ｆｒｅｅ）状態は、端末が遊休モードにある状態であることを特徴とする請求項１２に記載の装置。
【請求項１４】
前記状態は、
通話モード中にＵＳＢ端子を通じて外部装置と連結されたＵＳＢ最適化（Ｏｐｔｉｍｉｚａｔｉｏｎ）状態を含むことを特徴とする請求項１３に記載の装置。
【請求項１５】
前記制御部は、
前記携帯端末が遊休モードなら、前記携帯端末の状態を前記フリー状態に決定し、
通話モード中に前記ＵＳＢ端子を通じて外部装置が連結されれば、前記携帯端末の状態を前記ＵＳＢ最適化状態に決定し、
通話モード中に前記ＵＳＢ端子を通じて外部装置が連結されていないし、前記近接センサーから近接信号が入力されなければ、前記携帯端末の状態を前記ハンド状態に決定し、
通話モード中に前記ＵＳＢ端子を通じて外部装置が連結されていないし、前記近接センサーから近接信号が入力されれば、前記携帯端末の状態を前記ヘッドアンドハンド状態に決定することを特徴とする請求項１４に記載の装置。
【請求項１６】
前記制御部は、
端末がテストモード中に状態決定信号が入力されれば、端末の状態を前記ハンド状態、前記ヘッドアンドハンド状態、前記フリー状態及び前記ＵＳＢ最適化状態の中で前記状態決定信号に対応する状態に決定することを特徴とする請求項１５に記載の装置。
【請求項１７】
前記制御部は、
前記携帯端末が遊休モードなら、前記携帯端末の状態を前記フリー状態に決定し、
前記携帯端末が通話モードであり、前記レシーバーが使用されれば、前記携帯端末の状態を前記ヘッドアンドハンド状態に決定し、
前記携帯端末が通話モードであり、前記スピーカーが使用されれば、前記携帯端末の状態を前記ハンド状態に決定することを特徴とする請求項１３に記載の装置。
【請求項１８】
前記制御部は、
前記最適のＴＭＮ回路調整値をあらかじめ定義された参照テーブルを基盤として決定することを特徴とする請求項１２に記載の装置。
【請求項１９】
前記制御部は、
サービス網帯域別に当該帯域の全体チャネルを多数のグループに分類し、前記分類されたグループ別に前記参照テーブルを構成することを特徴とする請求項１８に記載の装置。
【請求項２０】
携帯端末でアンテナ整合のための装置において、
外部装置との連結のためのコネクターと、
外部物体の近接可否を感知する近接センサーと、
前記コネクターから入力された信号、前記近接センサーから入力された信号及び通話可否を基盤として前記携帯端末の状態を決定し、前記決定された状態に対応する最適のＴＭＮ回路調整値を決定する制御部と、
前記制御部から入力された最適のＴＭＮ回路調整値を利用してアンテナ整合を行うＴＭＮ 部とを含むことを特徴とする装置。
【手続補正２】
【補正対象書類名】明細書
【補正対象項目名】０００３
【補正方法】変更
【補正の内容】
【０００３】
前記ＦＭＮ方式の短所を補完するために考案された技術がＴＭＮ（Ｔｕｎａｂｌｅ  Ｍａｔｃｈｉｎｇ  Ｎｅｔｗｏｒｋ）方式である。前記ＴＭＮ方式は、固定されたＬＣ回路ではなく、可変ＬＣ回路を利用する。
【手続補正３】
【補正対象書類名】明細書
【補正対象項目名】００１２
【補正方法】変更
【補正の内容】
【００１２】
上記目的を達成するために、本発明の携帯端末でアンテナ整合のための方法は、前記携帯端末の状態を決定する段階と、前記決定された携帯端末の状態に対応する最適のＴＭＮ（Ｔｕｎａｂｌｅ  Ｍａｔｃｈｉｎｇ  Ｎｅｔｗｏｒｋ）回路調整値を決定する段階と、前記決定された最適のＴＭＮ回路調整値によってアンテナ整合を行う段階とを含むことを特徴とする。
【手続補正４】
【補正対象書類名】明細書
【補正対象項目名】００１３
【補正方法】変更
【補正の内容】
【００１３】
前記携帯用端末機の状態は、外部装置との連結可否、レシーバー使用可否、スピーカー使用可否及び近接センサーからの感知信号受信可否のうち１つ以上と通話可否を基盤としてハンド（Ｈａｎｄ）状態、ヘッドアンドハンド（Ｈｅａｄ＋ｈａｎｄ）状態及びフリー（Ｆｒｅｅ）状態ののうちいずれか１つに決定される。前記ハンド状態は、通話モード中にユーザの手に端末が位置する状態であり、前記ヘッドアンドハンド（Ｈｅａｄ＋ｈａｎｄ）状態は、通話モード中にユーザの頭に端末が位置する状態であり、前記フリー（Ｆｒｅｅ）状態は、端末が遊休モードにある状態であり、前記ＵＳＢ最適化状態は、通話モード中にＵＳＢ端子を通じて外部装置と連結された状態である。
前記状態を決定する段階は、前記携帯端末が遊休モードなら、前記携帯端末の状態を前記フリー状態に決定する段階と、通話モード中に前記ＵＳＢ端子を通じて外部装置が連結されれば、前記携帯端末の状態を前記ＵＳＢ最適化状態に決定する段階と、通話モード中に前記ＵＳＢ端子を通じて外部装置が連結されていなし、前記近接センサーから近接信号が入力されなければ、前記携帯端末の状態を前記ハンド状態に決定する段階と、通話モード中に前記ＵＳＢ端子を通じて外部装置が連結されていないし、前記近接センサーから近接信号が入力されれば、前記携帯端末の状態を前記ヘッドアンドハンド状態に決定する段階と、端末がテストモード中に状態決定信号が入力されれば、端末の状態を前記ハンド状態、前記ヘッドアンドハンド状態、前記フリー状態及び前記ＵＳＢ最適化状態のうち前記状態決定信号に対応する状態に決定する段階とを含んでなることができる。
前記状態を決定する段階は、前記携帯端末が遊休モードなら、前記携帯端末の状態を前記フリー状態に決定する段階と、前記携帯端末が通話モードであり、前記レシーバーが使用されれば、前記携帯端末の状態を前記ヘッドアンドハンド状態に決定する段階と、前記携帯端末が通話モードであり、前記スピーカーが使用されれば、前記携帯端末の状態を前記ハンド状態に決定する段階とを含んでなることができる。
【手続補正５】
【補正対象書類名】明細書
【補正対象項目名】００１４
【補正方法】変更
【補正の内容】
【００１４】
本発明の携帯端末でアンテナ整合のための装置は、前記携帯端末の状態を決定し、前記決定された状態に対応する最適のＴＭＮ回路調整値を決定する制御部と、前記制御部から入力された最適のＴＭＮ回路調整値を利用してアンテナ整合を行うＴＭＮ 部とを含むことを特徴とする。前述の構成において、前記制御部は、前記状態を決定する段階を行うことを特徴とする。
【手続補正６】
【補正対象書類名】明細書
【補正対象項目名】００１６
【補正方法】変更
【補正の内容】
【００１６】
【図１】本発明の一実施形態による携帯端末でアンテナ整合方法を示す流れ図である。
【図２】本発明の一実施形態による携帯端末の装置構成を示すブロック図である。
【図３】本発明の一実施形態による携帯端末で通話モードにおけるアンテナ整合時点を設定するための方法を示す例示図である。
【図４】図１を参照して説明した端末状態決定過程の実施形態を説明するための流れ図である。
【図５】本発明の他の実施形態による携帯端末の装置構成を示すブロック図である。
【手続補正７】
【補正対象書類名】明細書
【補正対象項目名】００５６
【補正方法】変更
【補正の内容】
【００５６】
図４は、図１を参照して説明した端末状態決定過程（段階１０９）の実施形態を説明するための流れ図である。